(57)【要約】【課題】この考案は、世界の国の国ピースを盤面に形成した凹陥部に適合して嵌合し、国ピースにしたがって世界国名地図、地形地図、政治地図等の各種地図を完成する世界地図パズル盤において、少なくとも、地図中心位置を二様に変換して遊戯ができる世界地図パズル盤の提供。【解決手段】盤体を方形とすると共に、メルカトル図法により選択された経度線を中心として左側へ１８０度、右側へ１８０度の世界地図を２区分したＡ側盤部と、Ｂ側盤部とを形成すると共に、それらのＡ側盤部のＡ盤面と、Ｂ側盤部のＢ盤面に経度線および緯度線にしたがって選択された経度線を中心とする世界地図凹陥部を、五大大陸を中心に、そして、その周囲に主な島の夫々を太平洋、大西洋およびその他の海洋中に、適宜区画・凹陥をして形成し、Ａ側盤部とＢ側盤部を選択された経度線を中心にその対応側面を接続する世界地図と、Ａ側盤部とＢ側盤部を左右１８０度反対の側面を接続する世界地図とに地図中心位置を二様に変換可能な世界地図パズル盤。【選択図】　　　　図１
0003097258.tif 000002
【実用新案登録請求の範囲】
【請求項１】
盤体を方形とすると共に、メルカトル図法により選択された経度線を中心として左側へ１８０度、右側へ１８０度の世界地図を２区分したＡ側盤部と、Ｂ側盤部とを形成すると共に、それらのＡ側盤部のＡ盤面と、Ｂ側盤部のＢ盤面に経度線および緯度線にしたがって選択された経度線を中心とする世界地図凹陥部を、ユーラシア大陸、アフリカ大陸、オーストラリア大陸、北アメリカ大陸、南アメリカ大陸の五大大陸を中心に、そして、その周囲に主な島の夫々を太平洋、大西洋およびその他の海洋中に、適宜区画・凹陥をして形成し、Ａ側盤部とＢ側盤部を選択された経度線を中心にその対応側面を接続する世界地図と、Ａ側盤部とＢ側盤部を左右１８０度反対の側面を接続する世界地図とに地図中心位置を二様に変換可能な世界地図パズル盤。
【請求項２】
盤体を方形とすると共に、メルカトル図法により東経１５５度またはそのプラス・マイナス５度内を中心として、左側へ１８０度、右側へ１８０度の世界地図を２区分したＡ側盤部と、Ｂ側盤部とを形成すると共に、それらのＡ側盤部のＡ盤面と、Ｂ側盤部のＢ盤面に経度線および緯度線にしたがって日本等アジアを中心とする世界地図凹陥部を、ユーラシア大陸、アフリカ大陸、オーストラリア大陸、北アメリカ大陸、南アメリカの五大大陸を中心に、そして、その周囲に主な島の夫々を、太平洋、大西洋およびその他の海洋中に、適宜区画・凹陥をして形成し、Ａ側盤部とＢ側盤部を東経１５５度またはそのプラス・マイナス５度内を中心として、対応側面を接続する日本等アジアを中心とする世界地図と、Ａ側盤部とＢ側盤部を左右１８０度反対の側面を接続するヨーロッパ中心型の世界地図とに地図中心位置を二様に変換可能な世界地図パズル盤。
【請求項３】
前記盤体を構成するＡ型方形盤部のＡ盤面と、Ｂ型方形盤部のＢ盤面に世界地図を表示する世界地図凹陥部には、各国の国境地形その他にしたがって形成した国ピースを嵌合し、その国ピースの表面を施飾する表示の種別にしたがって、国名地図、地形地図、政治地図等の各種の世界地図を完成するものである請求項１または請求項２の地図中心位置を二様に変換可能な世界地図パズル盤。
【請求項４】
Ａ側盤部とＢ側方形盤の対応するＡ側盤部右側面とＢ側盤部左側面に第１側面接続具を夫々配備し、反対のＡ側盤部左側面とＢ側盤部右側面に第２側面接続具を配備し、第１側面接続具による世界地図と、第２側面接続具による世界地図を構成する請求項１、請求項２または請求項３の地図中心位置を二様に変換可能な世界地図パズル盤。
【請求項５】
第１側面接続具は磁石または鉄片、第２側面接続具は鉄片または磁石により構成され、磁石の磁力により鉄片を吸着し、Ａ側盤部とＢ側盤部を変換可能に接続する請求項１、請求項２、請求項３または請求項４の地図中心位置を二様に変換可能な世界地図パズル盤。
【請求項６】
Ａ側盤部とＢ側盤部は、夫々底面が開放された函体から構成され、夫々の底面の四隅に配備された底面接続具により接続して閉鎖函体を構成し、遊戯後において、各国ピースを内側に収容可能に設けてなる請求項１、請求項２、請求項３、請求項４または請求項５の地図中心位置を二様に変換可能な世界地図パズル盤。
【考案の詳細な説明】
【０００１】
【考案が属する技術分野】
この考案は、世界の国の国ピースを盤面に形成した凹陥部に適合して嵌合し、国ピースにしたがって世界国名地図、地形地図、政治地図等の各種地図を完成する世界地図パズル盤において、少なくとも、地図中心位置を二様に変換して遊戯ができる世界地図パズル盤に関するものである。
【０００２】
【従来の技術】
我が国において販売される世界地図は、太平洋を中心にその左側にユーラシア大陸を、右側に北・南アメリカを配するものであり、これは、わが国を含むアジア地域を中心に表示することに起因するものである。しかるに、ヨーロッパでは、世界地図を表示するとき、ヨーロッパを中心に表示するため、ユーラシア大陸の左端部を中心として右側へ大西洋を描きその更に右側に北・南アメリカを配するものを使用するものである。
【０００３】
【考案が解決しようとする課題】
世界地図パズル盤は、世界各国の地形その他を象った国ピースを成型し、その国ピースを盤面に設けた凹陥部に順次、嵌合して各国を埋め、国ピースにしたがって世界国名地図、地形地図、政治地図等各種地図を完成するものであるから、各国に対応する多数の国ピース型と、凹陥地図盤を形成する合成樹脂射出成型とが必要であり、型代に大きな先攻投資を必要とするものである。
【０００４】
そして、日本等アジア中心型の世界地図パズル盤は、前記理由からそのままではヨーロッパおよび南北アメリカに輸出をすることができなく、新しくヨーロッパ中心型の世界地図パズル盤の合成樹脂射出成型を必要とし、これがため、安価な教習用の各種世界地図パズル盤を提供することができなかった。
【０００５】
この考案は、かかる欠点を解消することを目的になされたものであって、日本等アジア中心型の世界地図パズル盤を、その盤面の接続を簡易な手順でヨーロッパ中心表示に変換し、ヨーロッパ中心型の世界地図パズル盤として日本等アジア中心型の世界地図パズル盤と遜色なく使用可能ならしめるものである。
【０００６】
【課題を解決するための手段】
盤体を方形とすると共に、メルカトル図法により選択された経度線を中心として左側へ１８０度、右側へ１８０度の世界地図を２区分したＡ側盤部と、Ｂ側盤部とを形成すると共に、それらのＡ側盤部のＡ盤面と、Ｂ側盤部のＢ盤面に経度線および緯度線にしたがって選択された経度線を中心とする世界地図凹陥部を、ユーラシア大陸、アフリカ大陸、オーストラリア大陸、北アメリカ大陸、南アメリカ大陸の五大大陸を中心に、そして、その周囲に主な島の夫々を太平洋、大西洋およびその他の海洋中に、適宜区画・凹陥をして形成し、Ａ側盤部とＢ側盤部を選択された経度線を中心にその対応側面を接続する世界地図と、Ａ側盤部とＢ側盤部を左右１８０度反対の側面を接続する世界地図とに地図中心位置を二様に変換可能な世界地図パズル盤にある。
【０００７】
盤体を方形とすると共に、メルカトル図法により東経１５５度またはそのプラス・マイナス５度内を中心として、左側へ１８０度、右側へ１８０度の世界地図を２区分したＡ側盤部と、Ｂ側盤部とを形成すると共に、それらのＡ側盤部のＡ盤面と、Ｂ側盤部のＢ盤面に経度線および緯度線にしたがって日本等アジアを中心とする世界地図凹陥部を、ユーラシア大陸、アフリカ大陸、オーストラリア大陸、北アメリカ大陸、南アメリカの五大大陸を中心に、そして、その周囲に主な島の夫々を、太平洋、大西洋およびその他の海洋中に、適宜区画・凹陥をして形成し、Ａ側盤部とＢ側盤部を東経１５５度またはそのプラス・マイナス５度内を中心として、対応側面を接続する日本等アジアを中心とする世界地図と、Ａ側盤部とＢ側盤部を左右１８０度反対の側面を接続するヨーロッパ中心型の世界地図とに地図中心位置を二様に変換可能な世界地図パズル盤としてもよいものである。
【０００８】
前記盤体を構成するＡ型方形盤部のＡ盤面と、Ｂ型方形盤部のＢ盤面に世界地図を表示する世界地図凹陥部には、各国の国境地形その他にしたがって形成した国ピースを嵌合し、その国ピースの表面を施飾する表示の種別にしたがって、国名地図、地形地図、政治地図等の各種の世界地図を完成する地図中心位置を二様に変換可能な世界地図パズル盤としてもよいものである。
【０００９】
Ａ側盤部とＢ側方形盤の対応するＡ側盤部右側面とＢ側盤部左側面に第１側面接続具を夫々配備し、反対のＡ側盤部左側面とＢ側盤部右側面に第２側面接続具を配備し、第１側面接続具による世界地図と、第２側面接続具による世界地図を構成する地図中心位置を二様に変換可能な世界地図パズル盤としてもよいものである。
【００１０】
第１側面接続具は磁石または鉄片、第２側面接続具は鉄片または磁石により構成され、磁石の磁力により鉄片を吸着し、Ａ側盤部とＢ側盤部を変換可能に接続する地図中心位置を二様に変換可能な世界地図パズル盤としてもよいものである。
【００１１】
Ａ側盤部とＢ側盤部は、夫々底面が開放された函体から構成され、夫々の底面の四隅に配備された底面接続具により接続して閉鎖函体を構成し、遊戯後において、各国ピースを内側に収容可能に設けてなる地図中心位置を二様に変換可能な世界地図パズル盤としてもよいものである。
【００１２】
【考案の実施の形態】
盤体を方形とすると共に、メルカトル図法により東経１５５度を中心として、左側へ１８０度、右側へ１８０度の世界地図を２区分したＡ側盤部と、Ｂ側盤部とを形成すると共に、それらのＡ側盤部のＡ盤面と、Ｂ側盤部のＢ盤面に経度線および緯度線にしたがって日本等アジアを中心とする世界地図凹陥部を、ユーラシア大陸、アフリカ大陸、オーストラリア大陸、北アメリカ大陸、南アメリカの五大大陸を中心に、そして、その周囲に主な島の夫々を、太平洋、大西洋およびその他の海洋中に、適宜区画・凹陥をして形成し、Ａ側盤部とＢ側盤部を東経１５５度を中心として、対応側面を接続する日本等アジアを中心とする世界地図と、Ａ側盤部とＢ側盤部を左右１８０度反対の側面を接続するヨーロッパ中心型の世界地図とに地図中心位置を二様に変換可能な世界地図パズル盤。
【００１３】
【実施例】
以下、この考案の地図中心位置を二様に使用可能な世界地図パズル盤（以下単に世界地図パズル盤という）を、実施例として示す図面により説明すると、この考案の世界地図パズル盤１は、盤体２を方形とすると共に、メルカトル図法により東経１５５度を中心として、左側へ１８０度、右側へ１８０度の世界地図を２区分したＡ側盤部２ａと、Ｂ側盤部２ｂとを形成すると共に、それらのＡ側盤部２ａのＡ盤面２ａ１と、Ｂ側盤部２ｂのＢ盤面２ｂ１に経度線および緯度線にしたがって日本等アジアを中心とする世界地図凹陥部３を、ユーラシア大陸３ａ、アフリカ大陸３ｂ、オーストラリア大陸３ｃ、北・南アメリカ大陸３ｄ、３ｅの五大大陸を中心に、そして、その周囲に主な島３ｆの夫々を、例えば、日本列島３ｆ１のように、また太平洋、大西洋およびその他の海洋中に、適宜区画・凹陥をして形成するものである。
【００１４】
前記盤体２のＡ型方形盤部２ａのＡ盤面２ａ１と、Ｂ型方形盤部２ｂのＢ盤面２ｂ１に世界地図を表示する世界地図凹陥部３には、各国の国境地形その他にしたがって形成した国ピース４を嵌合し、その国ピース４の表面を施飾する表示の種別にしたがって、国名地図、地形地図、政治地図等の各種の世界地図を完成するものである。
【００１５】
この考案の前記実施例の世界地図パズル盤１を構成する盤体２は、２分した方形のＡ側盤部２ａとＢ側方形盤２ｂとから設けると共に、その対応する右側面２ａ２と左側面２ｂ２に第１側面接続具５ａ、５ｂを配備する。したがって、この第１側面接続具５ａ、５ｂによって東経１５５度を中心とする日本等アジア中心型の世界地図を構成する一枚の盤体２を構成してなるものである。
【００１６】
また、前記実施例の世界地図パズル盤１を構成する盤体２は、同じ大きさに２分した方形のＡ側盤部２ａとＢ側盤部２ｂとから設け、両外側となる反対の左側面２ａ３と右側面２ｂ３に第２側面接続具５ｃ、５ｄを配備する。そこで、この反対の左側面２ａ３と右側面２ｂ３の第２側面接続具５ｃ、５ｄによってＡ側方形盤２ａとＢ側盤体２ｂを図３に示す如く接続することができ、ヨーロッパ中心型の世界地図を構成する一枚の盤体２に変換構成してなるものである。
【００１７】
前記世界地図凹陥部３は、ユーラシア大陸、アフリカ大陸、オーストラリア大陸、南アメリカ大陸、北アメリカ大陸と五大大陸を中心に、主な島を周囲および大洋中に凹陥して形成し、それらに国ピース４を適合して世界地図凹陥部３の一面が埋められるように設けている。そこで、面積の小さい国の国名６は、図１に示すように、盤面にシルク印刷等の適宜手段で国名６を固着表示し、パズルに参加しないように設けている。
【００１８】
前記東経１５５度を中心とする分割基準線は、一例であって、東経１５５度からプラス・マイナス５度内の任意の経度を中心としても、また、地図販売国を中心にした経度でも勿論よいものである。また、図３に示すように、Ａ側盤部２ａとＢ側盤部２ｂを、ヨーロッパ中心型の世界地図を構成する一枚の盤体に変換構成したとき、上記実施例では、例えば、ロシア連邦では、東経１５５度で両側に分断されるので、国ピース４を分割国ピース４ａと分割国ピース４ｂに分割構成し、そのそれぞれを世界地図凹陥部３の該当部に嵌め合わせることになる。
【００１９】
前記第１側面接続具５ａ、５ｂおよび第２側面接続具５ｃ、５ｄは、図３〜図８に示す第１の実施例では、第１側面接続具５ａ、５ｃは磁石または鉄片、第２側面接続具５ｃ、５ｄは鉄片または磁石により構成され、磁石の磁力により鉄片を吸着し、Ａ側盤部２ａとＢ側盤部２ｂを接続するものである。
【００２０】
前記Ａ側盤部２ａとＢ側盤部２ｂは、夫々底面が開放された函体から構成され、夫々の底面の四隅に配備された底面接続具６ａ、６ｂにより接続して閉鎖函体を構成でき、遊戯後、各国ピース４を内側に収容し、この考案の世界地図パズル盤１に格納できる。前記底面接続具６ａは磁石または鉄片、底面接続具６ｂは鉄片または磁石である。
【００２１】
図１０および図１１に示す如く、Ａ側盤部２ａとＢ側盤部２ｂを、Ａ側盤部２ａの右側面２ａ２と、Ｂ側方形盤２ｂの左側面２ｂ２に構成する第２の実施例の第１側面接続具７ａ、７ｂと、Ａ側盤部２ａの左側面２ａ３と、Ｂ側盤部２ｂの右側面２ｂ３に構成する第２の実施例の第２側面接続具７ｃ、７ｄをガイドレール型溝と突条から構成し、図１２に示す如く、横方向にスライドしてＡ側盤部２ａとＢ側盤部２ｂを接続または離合させてなるものである。Ａ側盤部２ａの第２の実施例の第２側面接続具７ｃとＢ側盤部２ｂの第２の実施例の第２側面接続具７ｄとを接続することによって日本等アジア中心型の世界地図をヨーロッパ中心型の世界地図に変換構成することができるものである。
【００２２】
図１３に示す如く、Ａ側盤部２ａとＢ側盤部２ｂを、Ａ側方形盤２ａの右側面２ａ２と、Ｂ側方形盤２ｂの左側面２ｂ２に構成する第３の実施例の第１側面接続具８ａ、８ｂをちぎり溝８ａ１とちぎり突条８ｂ１に形成し、互いに被せ式に　結合して接続してもよいものである。Ａ側盤部２ａの左側面２ａ３と、Ｂ側盤部２ｂの右側面２ｂ３に構成する第３の実施例の第２側面接続具は、第３の実施例の第１側面接続具８ａ、８ｂと同一構造なので省略する。また、その日本等アジア中心型の世界地図をヨーロッパ中心型の世界地図に変換構成することについても、同様の手順で行うことができるので説明を省略する。
【００２３】
図１４に示す如く、Ａ側盤部２ａとＢ側盤部２ｂを、Ａ側盤部２ａの右側面２ａ２と、Ｂ側盤部２ｂの左側面２ｂ２に構成する第４の実施例の第１側面接続具９ａ、９ｂを、ちぎり溝９ａ１とちぎり溝９ｂ１を対設すると共に、同形の双頭ちぎり片９ｃを、そのちぎり溝９ａ１とちぎり溝９ｂ１に嵌合して接続する構造のものでもよいものである。Ａ側盤部２ａの左側面２ａ３と、Ｂ側盤部２ｂの右側面２ｂ３に構成する第４の実施例の第２側面接続具は、第４の実施例の第１側面接続具９ａ、９ｂと同一構造なので省略する。また、世界地図に変換についても、同様なので説明を省略する。
【００２４】
図１５に示す如く、Ａ側盤部２ａとＢ側盤部２ｂを、Ａ側盤部２ａの前側面２ａ４の右側面２ａ２寄り端に基端が縦軸（図示しない）に軸支される係合子１０ａ１からなる第５の実施例の第１側面接続具１０ａを配備し、Ｂ側盤部２ｂの前側面２ｂ４の左側面２ｂ２寄り端に第５の実施例の前記第１側面接続具１０ａと係合するに凹陥係合部１０ｂ１からなる第５の実施例の第１側面接続具１０ｂを配備し、Ａ側盤部２ａの右側面２ａ２と、Ｂ側盤部２ｂの左側面２ｂ２を接面した後、図１６に示す如く、対応する第５の実施例の第１側面接続具１０ａと第５の実施例の第１側面接続具１０ｂを係合して接続するものである。反対のＡ側盤部２ａの後側面２ａ５の右側面２ａ２寄り端と、Ｂ側盤部２ｂの後側面２ｂ５の左側面２ｂ２寄り端とに配備する第５の実施例の第２側面接続具および反対側の左側面２ａ３と右側面２ｂ３を接面して接続する第５の実施例の第２側面接続具についても同じ構造なので省略する。また、世界地図に変換についても、同様なので説明を省略する。
【００２５】
図１７に示す如く、Ａ側盤部２ａとＢ側盤部２ｂを、Ａ側盤部２ａの前側面２ａ４の右側面２ａ２寄り端に基端が横軸１１ａ１に軸支される縦回りの係合子１１ａ２からなる第６の実施例の第１側面接続具１１ａを配備し、Ｂ側盤部２ｂの前側面２ｂ４の左側面２ｂ２寄り端に第６の実施例の前記第１側面接続具１１ａと係合するに凹陥係合部１１ｂ１からなる第６の実施例の第１側面接続具１１ｂを配備し、Ａ側盤部２ａの右側面２ａ２と、Ｂ側盤部２ｂの左側面２ｂ２を接面した後、図１８に示す如く、対応する第６の実施例の第１側面接続具１１ａと第６の実施例の第１側面接続具１１ｂを係合して接続するものである。反対のＡ側盤部２ａの後側面２ａ５の右側面２ａ２寄り端と、Ｂ側盤部２ｂの後側面２ｂ５の左側面２ｂ２寄り端とに配備する第６の実施例の第２側面接続具および反対側の左側面２ａ３と右側面２ｂ３を接面して接続する第６の実施例の第２側面接続具についても同じ構造なので省略する。また、世界地図に変換についても、同様なので説明を省略する。
【００２６】
図１９に示す如く、Ａ側盤部２ａとＢ側盤部２ｂを、Ａ側盤部２ａの前側面２ａ４の右側面２ａ２寄り端に設けた凹陥スライド溝１２ａ１に嵌合してスライド自在の係合子１２ａ２からなる第７の実施例の第１側面接続具１２ａを配備し、Ｂ側盤部２ｂの前側面２ｂ４の左側面２ｂ２寄り端に第７の実施例の前記第１側面接続具１２ａを嵌入係合するに凹陥係合部１２ｂ１からなる第７の実施例の第１側面接続具１２ｂを配備し、Ａ側盤部２ａの右側面２ａ２と、Ｂ側盤部２ｂの左側面２ｂ２を接面した後、図２０に示す如く、対応する第７の実施例の第１側面接続具１２ａを押し出して第７の実施例の第１側面接続具１１ｂに係合して接続するものである。反対のＡ側盤部２ａの後側面２ａ５の右側面２ａ２寄り端と、Ｂ側方形盤２ｂの後側面２ｂ５の左側面２ｂ２寄り端とに配備する第７の実施例の第２側面接続具および反対側の左側面２ａ３と右側面２ｂ３を接面して接続する第７の実施例の第２側面接続具についても同じ構造なので省略する。また、世界地図に変換についても、同様なので説明を省略する。
【００２７】
【考案の効果】
この考案の世界地図パズル盤は、前述のようになるから、自国を中心にする世界地図と、その１８０度反対の世界地図とに二分盤面の接続を容易に変換することができ、世界各国の地形その他を象った国ピースを成型し、その国ピースを盤面に設けた凹陥部に順次、嵌合して各国を埋め、国ピースにしたがって世界国名地図、地形地図、政治地図等各種地図を完成することができるものである。
【００２８】
また、第１の実施例の第１側面接続具は磁石または鉄片、第１の実施例の第２側面接続具は鉄片または磁石により構成するから、磁石の磁力により鉄片を吸着し、二分盤面を容易に変換して接続することができる効果がある。
【００２９】
また、二分盤面は、夫々底面が開放された函体から構成され、夫々の底面の四隅に配備された底面接続具により接続して閉鎖函体を構成し、遊戯後において、各国ピースを内側に収容することができる。
【００３０】
よって、この考案の世界地図パズル盤は、遊戯具としてはもとより教習用具として優れた効果を奏し、世界的規模で活用できるものである。
【図面の簡単な説明】
【図１】この考案の世界地図パズル盤の実施例を示し、日本等アジア中心型に接続配列時におけるパズル完成状態を示す平面図である。
【図２】同じく、パズルの途中遊戯状態を示す斜視図である。
【図３】同じく、ヨーロッパ中心型に接続配列を変換した時におけるパズル完成状態を示す平面図である。
【図４】この考案の世界地図パズル盤を構成するＡ側盤部の一部切り欠き状態の底面図である。
【図５】同じく、この考案の世界地図パズル盤を構成するＢ側盤部の一部きり欠き底面図である。
【図６】同じく、Ａ側盤部の左側面部に設ける第１の実施例の第１側面接続具の磁石を示す左側面図である。
【図７】同じく、Ａ側盤部の右側面部に設ける第１の実施例の第１側面接続具の磁石を示す右側面図である。
【図８】同じく、Ｂ側盤部の左側面部に設ける第１の実施例の第１側面接続具の鉄片を示す左側面図である。
【図９】同じく、Ｂ側盤部の右側面部に設ける第１の実施例の第１側面接続具の鉄片を示す右側面図である。
【図１０】Ａ側盤部とＢ側盤部を変換自在に接続する第２の実施例の第１側面接続具の実施例を示す部分斜視図である。
【図１１】同じく、Ａ側盤部とＢ側盤部に第２の実施例の第２側面接続具を実施した分離状態を示す平面図である。
【図１２】同じく、その結合状態を示す平面図である。
【図１３】Ａ側盤部とＢ側盤部を変換自在に接続する第３の実施例の第１側面接続具および第２側面接続具を示す部分斜視図である。
【図１４】Ａ側盤部とＢ側盤部を変換自在に接続する第４の実施例の第１側面接続具および第２側面接続具を示す部分斜視図である。
【図１５】Ａ側盤部とＢ側盤部を変換自在に接続する第５の実施例の第１側面接続具および第２側面接続具を示す部分斜視図である。
【図１６】同じく、その結合状態を示す斜視図である。
【図１７】Ａ側盤部とＢ側盤部を変換自在に接続する第６の実施例の第１側面接続具および第２側面接続具を示す部分斜視図である。
【図１８】同じく、その結合状態を示す斜視図である。
【図１９】Ａ側盤部とＢ側盤部を変換自在に接続する第７の実施例の第１側面接続具および第２側面接続具を示す部分斜視図である。
【図２０】同じく、その結合状態を示す斜視図である。
【符号の説明】
１　世界地図パズル盤
２　盤体
２ａ　Ａ側盤部
２ａ１　Ａ盤面
２ａ２　右側面
２ａ３　左側面
２ａ４　前側面
２ａ５　後側面
２ｂ　Ｂ側盤部
２ｂ１　Ｂ盤面
２ｂ２　左側面
２ｂ３　右側面
２ｂ４　前側面
２ｂ５　後側面
３　世界地図凹陥部
３ａ　ユーラシア大陸
３ｂ　アフリカ大陸
３ｃ　オーストラリア大陸
３ｄ　北アメリカ大陸
３ｅ　南アメリカ大陸
３ｆ　島
３ｆ１　日本列島
４　国ピース
４ａ　分割国ピース
４ｂ　分割国ピース
５ａ　第１の実施例の第１側面接続具
５ｂ　第１の実施例の第１側面接続具
５ｃ　第１の実施例の第２側面接続具
５ｄ　第１の実施例の第２側面接続具
６　国名
６ａ　底面接続具
６ｂ　底面接続具
６ｂ１　鉄片
７ａ　第２の実施例の第１側面接続具
７ａ１　ガイドレール型溝
７ｂ　第２の実施例の第１側面接続具
７ｂ１　突条
７ｃ　第２の実施例の第２側面接続具
７ｄ　第２の実施例の第２側面接続具
８ａ　第３の実施例の第１側面接続具
８ａ１　ちぎり溝
８ｂ　第３の実施例の第１側面接続具
８ｂ１　ちぎり突条
９ａ　第４の実施例の第１側面接続具
９ａ１　ちぎり溝
９ｂ　第４の実施例の第１側面接続具
９ｂ１　ちぎり溝
９ｃ　双頭ちぎり片
１０ａ　第５の実施例の第１側面接続具
１０ａ１　係合子
１０ｂ　第５の実施例の第１側面接続具
１０ｂ１　凹陥係合部
１１ａ　第６の実施例の第１側面接続具
１１ａ１　横軸
１１ａ２　係合子
１１ｂ　第６の実施例の第１側面接続具
１１ｂ１　凹陥係合部
１２ａ　第７の実施例の第１側面接続具
１２ａ１　凹陥スライド溝
１２ａ２　係合子
１２ｂ　第７の実施例の第１側面接続具
１２ｂ１　凹陥係合部
【図１】
0003097258.tif 000003
【図２】
0003097258.tif 000004
【図３】
0003097258.tif 000005
【図４】
0003097258.tif 000006
【図５】
0003097258.tif 000007
【図６】
0003097258.tif 000008
【図７】
0003097258.tif 000009
【図８】
0003097258.tif 000010
【図９】
0003097258.tif 000011
【図１０】
0003097258.tif 000012
【図１１】
0003097258.tif 000013
【図１２】
0003097258.tif 000014
【図１３】
0003097258.tif 000015
【図１４】
0003097258.tif 000016
【図１５】
0003097258.tif 000017
【図１６】
0003097258.tif 000018
【図１７】
0003097258.tif 000019
【図１８】
0003097258.tif 000020
【図１９】
0003097258.tif 000021
【図２０】
0003097258.tif 000022